(57)【要約】【課題】  非常状況を迅速で正確に把握して適切な対応措置を提供するようにする防犯防災システムの非常信号送受信装置、及び防犯防災システムのケーブルの異常有無感知装置を提供すること。【解決手段】  非常信号送受信装置は、犯罪または災難による非常状況（非常信号）を感知するケーブルセンサー、及び前記ケーブルセンサーによって感知された非常信号を受信して処理し、遠隔地に伝送することで、適切な措置が行われるようにする非常信号処理装置を含んでなり、前記非常信号処理装置は、前記ケーブルセンサーから伝送される非常信号を受信する非常信号入力端；前記非常信号入力端に入力された非常信号をＦＦＴ及びＤＳＰ分析技法を利用して処理する非常信号処理端；前記非常信号処理端で処理された非常信号を格納するＤＢ；及び前記ＤＢに格納されて管理される非常信号を遠隔地に伝送する通信部を含み、前記ケーブルセンサーで感知された非常信号を処理装置に伝送する方式としては、光ケーブル方式、静電容量変化方式または磁力方式が用いられ、前記通信部は、ＲＳ２３２、４２２、４８５Ｓ、ＤＴＭＴ、ＰＳＫ、ＡＳＫ、ＦＳＫ及び光通信方式のいずれか一方式を利用して、ＤＢに格納されて管理される非常信号を遠隔地のコンピューターに伝送する。ケーブル異常有無感知装置は、接合面の内部中央に凹設された定着凹部に永久磁石が埋め込まれ、前記定着凹部の上下側に支持孔が形成されてなる結束感知片が互いに対向するに任意の手段によって一体的に結合されてケーブル状態感知キャップ１が構成され、前記ケーブル状態感知キャップの外皮の内側にシールド線が積層され、シールド線の空間に導線が埋め込まれてなるケーブルが等間隔で装着され、電源（＋、−）が供給されるケーブルがトランスフォーマーの１次側に連結され、トランスフォーマーの２次側には周波数の変化感知用感知分析装置が等間隔で連結される。【選択図】  図１
2011509039.tif 000002
【特許請求の範囲】
【請求項１】
犯罪または災難による非常状況（非常信号）を感知するケーブルセンサー５０、及びケーブルセンサー５０によって感知された非常信号を受信して処理し、遠隔地８０に伝送することで、適切な措置が行われるようにする非常信号処理装置７０を備え、
非常信号処理装置７０は、
ケーブルセンサー５０から伝送される非常信号を受信する非常信号入力端５１；
非常信号入力端５１に入力された非常信号をＦＦＴ（Ｆａｓｔ  Ｆｏｕｒｉｅｒ  Ｔｒａｎｓｆｏｒｍ；高速フーリエ変換）及びＤＳＰ（Ｄｉｇｉｔａｌ  Ｓｉｇｎａｌ  Ｐｒｏｃｅｓｓｏｒ）分析技法を利用して処理する非常信号処理端５２；
非常信号処理端５２で処理された非常信号を格納するＤＢ５３；
ＤＢ５３に格納されて管理される非常信号を遠隔地８０に伝送する通信部５４を有し、
ケーブルセンサー５０で感知された非常信号を処理装置７０に伝送する方式としては、光ケーブル方式、静電容量変化方式、または磁力方式が用いられ、
通信部５４は、ＲＳ２３２、４２２、４８５Ｓ、ＤＴＭＴ（Ｄｕａｌ  Ｔｏｎｅ Ｍｕｌｔｉ−Ｆｒｅｑｕｅｎｃｙ：デューアルトーンマルチ周波数）、ＰＳＫ（Ｐｈａｓｅ
Ｓｈｉｆｔ  Ｋｅｙｉｎｇ：位相偏移キーイング）、ＡＳＫ（Ａｍｐｌｉｔｕｄｅ  Ｓｈｉｆｔ  Ｋｅｙｉｎｇ：振幅偏移キーイング）、ＦＳＫ（Ｆｒｅｑｕｅｎｃｙ  Ｓｈｉｆｔ  Ｋｅｙｉｎｇ：周波数偏移キーイング）及び光通信方式のいずれか一方式を利用して、ＤＢ５３に格納されて管理される非常信号を遠隔地８０のコンピューターに伝送する
ことを特徴とする防犯防災システムの非常信号送受信装置。
【請求項２】
接合面３の内部中央に凹設された定着凹部４に永久磁石１５が埋め込まれ、定着凹部４の上下側に支持孔５が形成された結束感知片２が互いに対向するに任意の手段によって一体的に結合されてケーブル状態感知キャップ１が構成され、ケーブル状態感知キャップ１の外皮２１の内側にシールド線２２が積層され、シールド線２１の空間２３に導線２４が埋め込まれたケーブル２０が等間隔で装着され、電源（＋、−）が供給されるケーブル２０がトランスフォーマー２５の１次側に連結され、トランスフォーマー２５の２次側には周波数の変化感知用感知分析装置２６が等間隔で連結される
ことを特徴とするケーブル異常有無感知装置。
【請求項３】
永久磁石１５はＮ極がケーブル２０に接続される
請求項２に記載のケーブル異常有無感知装置。
【請求項４】
それぞれ結束突起８、８’と結束孔９、９’によって結合され、接合面３の中央に永久磁石１５が挿合されるように定着凹部４が形成され、その定着凹部４の上下側にケーブル形状と同一の楕円形支持孔５が定着凹部４と連通するように形成され、定着凹部４と支持孔５を通じてケーブル２０が挿入できるように構成された一対の結束感知片２ａ、２ｂを備え、
ケーブル２０の外側には、起電力とノイズの誘起によってケーブル２０の異常有無を判断するように、導線が内蔵されたケーブル２０の外側にパッキング部材６０によって密閉されるように二つの永久磁石１５が備えられ、永久磁石１５によってケーブル２０の導線２４に誘起される起電力とノイズを感知するようにケーブル２０の外側に感知センサー１６が備えられる
ことを特徴とするケーブル異常有無感知装置。
【発明の詳細な説明】
【技術分野】
【０００１】
本発明は、防犯防災システムの非常信号送受信装置、及び、防犯防災システムのケーブルの異常有無を感知する装置に関する。
【背景技術】
【０００２】
社会が多様化して経済が発展するに従い、経済的に富を享受する人がいる一方、貧富の格差による経済犯罪も増加していることが現実である。たとえ、経済的な犯罪ではないとしても、国家主要施設物の防護の必要性と複雑で多様な社会が形成されることによるすべての施設物の維持管理もより精密なチェックが要求されている。
このような欲求を満たすために登場したものが防犯及び防災システムであり、近年には、このような業務を委託されて専門的にサービスを提供する企業等も多数登場している。
このような既存の防犯及び防災システムに適用される回路構成部のなかで重要な機能をするものは、非常状況の発生の際、これを感知して迅速に外部に知らせることができるケーブルセンサー部である。
【０００３】
しかし、既存の防犯及び防災システムに使用されるケーブルセンサーは、その通信方式としてリレー接点信号あるいはＲＳ４８５、ＲＳ４２２通信を用いたが、これらケーブルセンサーあるいは感知器を屋外に設置したので、落雷あるいは線路上のノイズによって長距離信号伝送に困難さが多かったのが周知の事実であった。
また、従来にはケーブルの異常状態を感知する装置が知られていなかった。
【０００４】
したがって、通信ケーブルや各種の情報送受信用ケーブルの保護及び感知ができなかったので、ケーブルに異常が発生する場合にも直ちに確認ができない問題があり、特に各種の情報送受信用ケーブルの場合、伝送される情報の流出危険があるが、これを感知することができる装置が根本的になくて大きな問題があった。
また、防犯用として使用される場合には、ケーブル利用装置が提案されていないため、例えば光センサーあるいはＣＣＤカメラのみを用いて制限的に防犯状態を感知することになる問題もあった。
【発明の概要】
【発明が解決しようとする課題】
【０００５】
本発明は、非常状況を迅速で正確に把握して適切な対応措置を提供するようにした防犯防災システムの非常信号送受信装置を提供することを課題とする。
また、防犯防災システムのケーブルの異常有無感知装置を提供することも課題とする。
【課題を解決するための手段】
【０００６】
前記課題を解決するための本発明の一面による防犯防災システムの非常信号送受信装置は、犯罪または災難による非常状況（非常信号）を感知するケーブルセンサー、及び前記ケーブルセンサーによって感知された非常信号を受信して処理し、遠隔地に伝送することで、適切な措置が行われるようにする非常信号処理装置を含んでなり、前記非常信号処理装置は、前記ケーブルセンサーから伝送される非常信号を受信する非常信号入力端；前記非常信号入力端に入力された非常信号をＦＦＴ（Ｆａｓｔ  Ｆｏｕｒｉｅｒ  Ｔｒａｎｓｆｏｒｍ；高速フーリエ変換）及びＤＳＰ（Ｄｉｇｉｔａｌ  Ｓｉｇｎａｌ  Ｐｒｏｃｅｓｓｏｒ）分析技法を利用して処理する非常信号処理端；前記非常信号処理端で処理された非常信号を格納するＤＢ；及び前記ＤＢに格納されて管理される非常信号を遠隔地に伝送する通信部を含み、前記ケーブルセンサーで感知された非常信号を処理装置に伝送する方式としては、光ケーブル方式、静電容量変化方式または磁力方式が用いられ、前記通信部は、ＲＳ２３２、４２２、４８５Ｓ、ＤＴＭＴ（Ｄｕａｌ  Ｔｏｎｅ  Ｍｕｌｔｉ−Ｆｒｅｑｕｅｎｃｙ：デューアルトーンマルチ周波数）、ＰＳＫ（Ｐｈａｓｅ  Ｓｈｉｆｔ  Ｋｅｙｉｎｇ：位相偏移キーイング）、ＡＳＫ（Ａｍｐｌｉｔｕｄｅ  Ｓｈｉｆｔ  Ｋｅｙｉｎｇ：振幅偏移キーイング）、ＦＳＫ（Ｆｒｅｑｕｅｎｃｙ  Ｓｈｉｆｔ  Ｋｅｙｉｎｇ：周波数偏移キーイング）及び光通信方式のいずれか一方式を利用して、ＤＢに格納されて管理される非常信号を遠隔地のコンピューターに伝送する。
【０００７】
本発明の他のケーブル異常有無感知装置は、接合面の内部中央に凹設された定着凹部に永久磁石が埋め込まれ、前記定着凹部の上下側に支持孔が形成されてなる結束感知片が互いに対向するに任意の手段によって一体的に結合されてケーブル状態感知キャップ１が構成され、前記ケーブル状態感知キャップの外皮の内側にシールド線が積層され、シールド線の空間に導線が埋め込まれてなるケーブルが等間隔で装着され、電源（＋、−）が供給されるケーブルがトランスフォーマーの１次側に連結され、トランスフォーマーの２次側には周波数の変化感知用感知分析装置が等間隔で連結される。
【０００８】
本発明のさらに他のケーブル異常有無感知装置は、それぞれ結束突起と結束孔によって結合され、接合面の中央に永久磁石が挿合されるように定着凹部が形成され、この定着凹部の上下側にケーブル形状と同一の楕円形支持孔が前記定着凹部と連通するように形成され、前記定着凹部と支持孔を通じてケーブルが挿入できるように構成された一対の結束感知片を含んでなり、前記ケーブルの外側には、起電力とノイズの誘起によってケーブルの異常有無を判断するように、導線が内蔵されたケーブルの外側にパッキング部材によって密閉されるように二つの永久磁石が備えられ、前記永久磁石によってケーブルの導線に誘起される起電力とノイズを感知するように前記ケーブルの外側に感知センサーが備えられる。
【発明の効果】
【０００９】
本発明の第１実施形態によれば、非常状況を迅速で正確に把握して適切な対応措置を提供するようにした防犯防災システムの非常信号送受信装置を提供することができる。
本発明の第２実施形態によれば、構造が簡単で製造が容易であり、大きさも小型化させることができて携帯及び設置が容易であり、特に設置費と運用費を低くすることができながらも高度の機能を果たすことができる。
また、本発明の第２実施形態によれば、普段には正弦波の波形が発生する状態でケーブルの所定部分をタッチすれば、所定部分に位置するケーブル状態感知キャップの永久磁石が磁束の変化を引き起こし、変化した磁束がケーブルの導線にノイズの形として発生し、正弦波の波形を感知分析装置で感知して外部に知らせることになったものであり、それぞれの主要ケーブルを個別的に感知することができ、特に主要機能のケーブルの場合には、外部人のタッチ有無をすぐ感知することができるので、盗聴手段などによって情報が漏出されることを防止することなどに効果的に活用することができる。例えば、所定のケーブルを外部人がタッチしてその状態が感知された場合、そのケーブルの機能の作動が自動で停止するようにするかあるいはこれを外部に知らせるようにすれば、情報の漏出や漏洩を防止することができる。
また、本発明の第２実施形態によれば、外部人が侵透する過程で設置されたケーブルを触れれば、所定位置のケーブル状態感知キャップで磁束の変化を引き起こし、よって感知分析装置がこれを感知して警光灯を発光させるか警報音を自動で発生させることができる。特に、ケーブルに設置されるそれぞれのケーブル状態感知キャップの位置も把握できるようにすれば、ケーブルで異常が発生する地点または位置までも直ちに確認することができる。
【図面の簡単な説明】
【００１０】
【図１】本発明の第１実施形態による防犯防災システムの非常信号送受信装置の構成を示すブロック図
【図２】本発明の第２実施形態による電線状態感知キャップの全体斜視図
【図３】図２の内部構造を示す斜視断面図
【図４】図２の電線状態感知キャップの平面断面図
【図５】図２の電線状態感知キャップの設置状態例を示す説明図
【図６】本発明の第３実施形態によるケーブル異常有無感知装置の分解斜視図
【発明を実施するための形態】
【００１１】
以下、本発明の実施例を添付図面に基づいて詳細に説明する。
図１は本発明の第１実施例による防犯防災システムの非常信号送受信装置の構成ブロック図である。
図１に示すように、本発明の第１実施例による防犯防災システムの非常信号送受信装置は、犯罪または災難による非常状況（非常信号）を感知するケーブルセンサー５０、前記ケーブルセンサー５０によって感知された非常信号を受信し処理して遠隔地８０に伝送することで、適切な措置が行われるようにする非常信号処理装置７０とからなる。
前記非常信号処理装置７０は、前記ケーブルセンサー５０から伝送される非常信号を受信する非常信号入力端５１と、前記非常信号入力端５１に入力された非常信号をＦＦＴ（Ｆａｓｔ  Ｆｏｕｒｉｅｒ  Ｔｒａｎｓｆｏｒｍ；高速フーリエ変換）及びＤＳＰ（Ｄｉｇｉｔａｌ  Ｓｉｇｎａｌ  Ｐｒｏｃｅｓｓｏｒ）分析技法を利用して処理する非常信号処理端５２と、前記非常信号処理端５２で処理された非常信号を格納するＤＢ５３と、前記ＤＢ５３に格納管理される非常信号を遠隔地８０に伝送する通信部５４とからなる。
【００１２】
前記センサーケーブル５０で感知された非常信号を処理装置７０に伝送する方式としては、光ケーブル方式、静電容量変化方式、及び磁力方式などがある。
また、前記センサーケーブル５０で感知された非常信号はアナログ信号であり、非常信号処理装置７０の信号入力端５１に伝送されて入力される。
【００１３】
前記非常信号処理端５２の処理技法に利用されるＦＦＴは、サンプリングされた信号の全部を変換させるものではなく、必要な信号のみを探し出して最小化し、高速でフーリエ変換を演算する技法であり、ＤＳＰはデジタル信号を機械装置が早く処理できるようにする集積回路で、アナログ信号である音声をデジタル化する音声符号化に使用されることもあり、主にデジタル信号を高速で処理するために足し算、引き算、掛け算などの繰り返し演算を高速で処理することができる回路を採用している。
前記通信部５４は、ＲＳ２３２、４２２、４８５Ｓ、ＤＴＭＴ（Ｄｕａｌ  Ｔｏｎｅ  Ｍｕｌｔｉ−Ｆｒｅｑｕｅｎｃｙ：デューアルトーンマルチ周波数）、ＰＳＫ（Ｐｈａｓｅ  Ｓｈｉｆｔ  Ｋｅｙｉｎｇ：位相偏移キーイング）、ＡＳＫ（Ａｍｐｌｉｔｕｄｅ  Ｓｈｉｆｔ  Ｋｅｙｉｎｇ：振幅偏移キーイング）、ＦＳＫ（Ｆｒｅｑｕｅｎｃｙ  Ｓｈｉｆｔ  Ｋｅｙｉｎｇ：周波数偏移キーイング）及び光通信方式などを利用して、ＤＢ５３に格納、管理される非常信号を遠隔地８０のコンピューターに伝送する。
【００１４】
図２〜４は本発明の第２実施例を示す図で、図２はケーブル状態感知キャップ１を示す斜視図、図３はケーブル状態感知キャップ１の結束感知片２の内面を示す例示図、図４は結合された状態を示す横断面図である。ケーブル状態感知キャップ１は、図２に示すように、一対の結束感知片２を接合させてなるものである。
【００１５】
結束感知片２は、図３に示すように、接合面３の中央に、後述する永久磁石の埋設定着のために定着凹部４が凹設され、定着凹部４の上下側には支持孔５が前記定着凹部４と連通するように形成され、よって定着凹部４と支持孔５を通じてケーブル２０が埋め込まれることができる。
前記定着凹部４の両側には結束突条６と結束凹溝７が形成され、その外側には一対ずつの結束突起８と結束孔９が形成され、結束感知片２の外周の上下側にクリップ溝１０が平行に形成されている。
【００１６】
このように構成された結束感知片２は、図４に示すように、一対の結束感知片２をケーブル２０の外側に結合することでケーブル状態感知キャップ１を形成することになるものである。
ケーブル２０は、外皮２１の内側にシールド線２２が積層され、シールド線２２の内側空間２３には導線２４が埋め込まれる。
このように、ケーブル２０の外側には、図４に示すように、一対の結束感知片２が互いに結束され、ケーブル２０が支持孔５を通過するようにした後、結束凹溝７に結束突条６を噛み合わせて接合面３が互いに密接に接触するようにし、特に定着凹部５に定着された永久磁石１５はＮ極がケーブル２０の外皮２１と当接する。
【００１７】
図５に示すように、トランスフォーマー２５の一次側にはケーブル２０を接続して電源（＋、−）が供給できるようにし、ケーブル２０にはケーブル状態感知キャップ１が等間隔（Ｄ）で設置され、トランスフォーマー２５の２次側コイルには感知分析装置２６が連結される。
前記感知分析装置２６としては、通常の周波数及びノイズ発生感知装置などを挙げることができ、具体的に示されていないが、警光灯、警告音を発生させる警告発生装置と連結して、視覚的及び聴覚的に警告（侵入）状態を発するようにすることが好ましい。
【００１８】
図６は本発明の第３実施例を示す図で、それぞれ結束突起８、８’と結束孔９、９’によって結合され、それぞれ接合面３の中央には永久磁石１５が挿合される定着凹部４が形成され、この定着凹部４の上下側にはケーブル形状と同様な断面楕円形の支持孔５が前記定着凹部４と連通するように形成され、前記定着凹部４と支持孔５を通じてケーブル２０が挿着できるように構成された一対の結束感知片２ａ、２ｂからなる。
また、起電力とノイズの誘起によってケーブル２０の異常有無を判断するように、導線が内蔵されたケーブル２０の外側には、パッキング部材５０によって密閉されるように二つの永久磁石１５が備えられ、前記永久磁石１５によってケーブル２０の導線２４に誘起される起電力とノイズを感知するように、前記ケーブル２０の外側に感知センサー１６が備えられる。
【００１９】
以下、本発明の第１実施例による動作を説明する。
まず、ケーブルセンサー５０が光ケーブル方式、静電容量変化方式及び磁力方式のいずれか一方式によって防犯防災システムの非常状況を感知すれば、その感知されたアナログ非常信号が非常信号処理装置７０に伝送される。この際、非常信号は入力端５１を通じて入力される。
【００２０】
このように入力端５１を通じて非常信号処理装置７０に入力された非常信号は信号処理端５２でＦＦＴあるいはＤＳＰ技法によってデジタル信号に変換され、ＤＢ５３に格納されて管理される。
このようにＤＢ５３に格納されて管理される非常信号は通信部５４を通じて遠隔地８０のコンピューターに伝送される。
一方、前記信号処理端５２では、ケーブルセンサー５０の非常状況の感知値に基づいて、脱出、フェンス切断、ケーブル切断及び短絡などの多様な状況を区分して処理し、区分されて処理されたこれらの非常信号はＤＢ５３に格納されて管理される。
【００２１】
以下、本発明の第２実施例による動作を説明する。
ケーブル状態感知キャップ１の結束感知片２は、結束孔７と結束突起６の噛合によって結束状態が維持される。この際、クリップ溝１０にそれぞれの結束感知片２を拘束させるクリップ（図示せず）を差し込むことで、結束感知片２が互いに分離されなくて結束される。
【００２２】
図３及び４のように設置された状態で電源が供給されれば、電源はトランスフォーマー２５の１次側コイルを通じて２次側コイルに誘起され、感知分析装置２６は２次側コイルに誘起された電圧の波形を持続的に感知する状態にある。この際、永久磁石１５から磁場が発生することにより、電流が流れている導線２４でも磁場が発生し、これにより正弦波が感知分析装置２６で感知される。
このような状態で、人為的に任意の手段などによってケーブル２０の所定位置をタッチすれば、そのタッチ位置の左右両側にあるケーブル状態感知キャップ１とこれに隣接したケーブル状態感知キャップ１も揺れるかまたは持ち上げられて位置が変化することになる。
このように、ケーブル２０及びケーブル状態感知キャップ１の位置が変われば、永久磁石１５で発生する磁場が瞬間的に変化し、永久磁石１５の磁場が変化すれば、ケーブル２０の導線２４には変化した磁場が誘起され、正弦波の波形が瞬間的（一時的）に歪んだ波形（実質的にノイズが発生することになる）に変形されながら起電力が発生する。
【００２３】
したがって、発生した起電力はトランスフォーマー２５の１次側に誘起され、変形された起電力が２次側コイルに誘起され、２次側コイルに変形された波形が誘起されれば、感知分析装置２６はこれを感知、分析して警光灯、警告音を発生させることでケーブル２０の異常状態を知らせることになる。
【産業上の利用可能性】
【００２４】
本発明の第１実施例によれば、防犯防災システムの非常信号送受信装置に適用することができる。
本発明の第２実施例によれば、各種のケーブルを外部からタッチするなどの異常が発生したとき、これを感知して主感知装置（または感知手段）によってその異常有無を感知するようになったもので、通信用ケーブルの異常有無感知用、オーディオ用ケーブルの異常有無確認用、精密計測器用ケーブルの異常有無確認用を含み、各種の車両の入出を感知する感知装置、及び防犯用などの広範囲な分野に適用することができる。
【符号の説明】
【００２５】
１    ケーブル状態感知キャップ
２    結束感知片
３    接合面
４    定着凹部
５    支持孔
７    結束凹溝
８    結束突起
９    結束孔
１０    クリップ溝
２０    ケーブル
２１    外皮
２２    シールド線
２３    内側空間
２４    導線
２５    トランスフォーマー
２６    感知分析装置
５０    ケーブルセンサー
５１    非常信号入力端
５２    非常信号処理端
５３    ＤＢ
５４    通信部
７０    非常信号処理装置
８０    遠隔地
【図１】
2011509039.tif 000003
【図２】
2011509039.tif 000004
【図３】
2011509039.tif 000005
【図４】
2011509039.tif 000006
【図５】
2011509039.tif 000007
【図６】
2011509039.tif 000008
【国際調査報告】
2011509039.tif 000009
2011509039.tif 000010
2011509039.tif 000011